(57)【要約】【課題】  校正の対象となる画像のその校正に供される画像情報を当該画像が出力される記録用紙の裏面を含む何れかの位置に付加することで、画像の大きさや記録用紙の大きさに因らず、画像情報が付加されたカラープルーフを作成する。【解決手段】  出力担当者が、制御装置２の合成位置指定部２３によって「外付け（画像出力領域の外縁）」、「内付け（画像出力領域の内縁）」、「裏面（画像出力面の裏面）」等の指定項目の内、何れかを指定すると、画像データ合成部２４は、画像データ解析加工部２１から出力された網点画像データのその指定された位置に、画像情報データ生成部２２によって生成されたその画像情報データを合成する（但し、「裏面」が指定された場合にはその画像情報データを裏面出力用の画像データとする）ことでＤＣＰ用画像データを生成する。出力制御部２５は、そのＤＣＰ用画像データを出力指示信号と共にカラーレーザープリンタ３へ送信する。【選択図】      図３
2005244515.tif 000002
【特許請求の範囲】
【請求項１】
外部装置から、校正の対象となる画像データと、その校正に供される画像情報とを受けて、それらを保存する画像データ保存手段と、
前記保存された画像情報を画像データ化することで、画像情報データを生成する画像情報データ生成手段と、
前記保存された画像データに前記生成された画像情報データを合成する合成位置を指定するための合成位置指定手段と、
前記保存された画像データの前記指定された合成位置に前記生成された画像情報データを合成することで、カラープルーフ用画像データを生成する画像データ合成手段と、を有する制御装置と、
前記カラープルーフ用画像データに基づく画像を記録用紙に出力することで、カラープルーフを作成する画像出力装置と、を備えたことを特徴とするカラープルーフ作成システム。
【請求項２】
前記画像情報は、前記画像データのジョブ名称、前記画像データを構成する各色版の名称、又は、前記画像データにＲＩＰ処理や網点化処理が施されていた場合の当該処理の設定内容若しくは実施日時の少なくとも１つを含むことを特徴とする請求項１に記載のカラープルーフ作成システム。
【請求項３】
外部装置から、校正の対象となる画像データを受けて、これを保存する画像データ保存手段と、
前記保存された画像データを解析して、その解析結果に応じて、予め設定された処理条件にて所定の加工処理を施す画像データ解析加工手段と、
予め設定された前記画像データのジョブ名称若しくは前記画像データを構成する各色版の名称、及び／又は、前記予め設定された処理条件を前記校正に供される画像情報として画像データ化することで、画像情報データを生成する画像情報データ生成手段と、
前記保存された画像データに前記生成された画像情報データを合成する合成位置を指定するための合成位置指定手段と、
前記保存された画像データの前記指定された合成位置に前記生成された画像情報データを合成することで、カラープルーフ用画像データを生成する画像データ合成手段と、を有する制御装置と、
前記カラープルーフ用画像データに基づく画像を記録用紙に出力することで、カラープルーフを作成する画像出力装置と、を備えたことを特徴とするカラープルーフ作成システム。
【請求項４】
前記処理条件は、前記加工処理としてＲＩＰ処理や網点化処理を施す場合の当該処理の設定内容若しくは実施日時の少なくとも１つを含むことを特徴とする請求項３に記載のカラープルーフ作成システム。
【請求項５】
前記合成位置指定手段は、
前記画像情報データを合成する合成位置として、少なくとも、前記画像データに基づく画像が出力される前記記録用紙の裏面部分を指定可能に表示する表示手段と、
前記指定を行うための操作手段と、を有することを特徴とする請求項１乃至請求項４の何れか一項に記載のカラープルーフ作成システム。
【請求項６】
カラープルーフ用画像データに基づく画像を記録用紙に出力することで、カラープルーフを作成する画像出力装置に対して、前記カラープルーフ用画像データを送信する制御装置であって、
外部装置から、校正の対象となる画像データと、その校正に供される画像情報とを受けて、それらを保存する画像データ保存手段と、
前記保存された画像情報を画像データ化することで、画像情報データを生成する画像情報データ生成手段と、
前記保存された画像データに前記生成された画像情報データを合成する合成位置を指定するための合成位置指定手段と、
前記保存された画像データの前記指定された合成位置に前記生成された画像情報データを合成することで、前記カラープルーフ用画像データを生成する画像データ合成手段と、を有することを特徴とする制御装置。
【請求項７】
前記画像情報は、前記画像データのジョブ名称、前記画像データを構成する各色版の名称、又は、前記画像データにＲＩＰ処理や網点化処理が施されていた場合の当該処理の設定内容若しくは実施日時の少なくとも１つを含むことを特徴とする請求項６に記載の制御装置。
【請求項８】
カラープルーフ用画像データに基づく画像を記録用紙に出力することで、カラープルーフを作成する画像出力装置に対して、前記カラープルーフ用画像データを送信する制御装置であって、
外部装置から、校正の対象となる画像データを受けて、これを保存する画像データ保存手段と、
前記保存された画像データを解析して、その解析結果に応じて、予め設定された処理条件にて所定の加工処理を施す画像データ解析加工手段と、
予め設定された前記画像データのジョブ名称若しくは前記画像データを構成する各色版の名称、及び／又は、前記予め設定された処理条件を前記校正に供される画像情報として画像データ化することで、画像情報データを生成する画像情報データ生成手段と、
前記保存された画像データに前記生成された画像情報データを合成する合成位置を指定するための合成位置指定手段と、
前記保存された画像データの前記指定された合成位置に前記生成された画像情報データを合成することで、前記カラープルーフ用画像データを生成する画像データ合成手段と、を有することを特徴とする制御装置。
【請求項９】
前記処理条件は、前記加工処理としてＲＩＰ処理や網点化処理を施す場合の当該処理の設定内容若しくは実施日時の少なくとも１つを含むことを特徴とする請求項７に記載の制御装置。
【請求項１０】
前記合成位置指定手段は、
前記画像情報データを合成する合成位置として、少なくとも、前記画像データに基づく画像が出力される前記記録用紙の裏面部分を指定可能に表示する表示手段と、
前記指定を行うための操作手段と、を有することを特徴とする請求項６乃至請求項９の何れか一項に記載の制御装置。
【請求項１１】
カラープルーフ用画像データに基づく画像を記録用紙に出力することで、カラープルーフを作成する画像出力装置に対して、前記カラープルーフ用画像データを送信する制御装置におけるカラープルーフ作成方法であって、
外部装置から、校正の対象となる画像データと、その校正に供される画像情報とを受けて、それらを保存する画像データ保存ステップと、
前記保存された画像情報を画像データ化することで、画像情報データを生成する画像情報データ生成ステップと、
前記保存された画像データに前記生成された画像情報データを合成する合成位置が指定されたことを受けて、前記保存された画像データの前記指定された合成位置に前記生成された画像情報データを合成することで、前記カラープルーフ用画像データを生成する画像データ合成ステップと、を含むことを特徴とするカラープルーフ作成方法。
【請求項１２】
前記画像情報は、前記画像データのジョブ名称、前記画像データを構成する各色版の名称、又は、前記画像データにＲＩＰ処理や網点化処理が施されていた場合の当該処理の設定内容若しくは実施日時の少なくとも１つを含むことを特徴とする請求項１１に記載のカラープルーフ作成方法。
【請求項１３】
カラープルーフ用画像データに基づく画像を記録用紙に出力することで、カラープルーフを作成する画像出力装置に対して、前記カラープルーフ用画像データを送信する制御装置におけるカラープルーフ作成方法であって、
外部装置から、校正の対象となる画像データを受けて、これを保存する画像データ保存ステップと、
予め設定された前記画像データのジョブ名称若しくは前記画像データを構成する各色版の名称、及び／又は、前記保存された画像データを解析して、その解析結果に応じて、予め設定された処理条件にて所定の加工処理を施す画像データ解析加工ステップと、
前記予め設定された処理条件を前記校正に供される画像情報として画像データ化することで、画像情報データを生成する画像情報データ生成ステップと、
前記保存された画像データに前記生成された画像情報データを合成する合成位置が指定されたことを受けて、前記保存された画像データの前記指定された合成位置に前記生成された画像情報データを合成することで、前記カラープルーフ用画像データを生成する画像データ合成ステップと、を含むことを特徴とするカラープルーフ作成方法。
【請求項１４】
前記処理条件は、前記加工処理としてＲＩＰ処理や網点化処理を施す場合の当該処理の設定内容若しくは実施日時の少なくとも１つを含むことを特徴とする請求項１３に記載のカラープルーフ作成方法。
【請求項１５】
前記合成位置指定ステップは、前記画像情報データを合成する合成位置として、少なくとも、前記画像データに基づく画像が出力される前記記録用紙の裏面部分を指定可能に表示する表示ステップを含むことを特徴とする請求項１１乃至請求項１４の何れか一項に記載のカラープルーフ作成方法。
【請求項１６】
請求項１１乃至請求項１５の何れか一項に記載のカラープルーフ作成方法を前記制御装置のコンピュータにおいて実行させることを特徴とするプログラム。
【請求項１７】
請求項１６に記載のプログラムを前記制御装置のコンピュータによって読み出し可能に記憶したことを特徴とする記憶媒体。
【発明の詳細な説明】
【技術分野】
【０００１】
本発明は、校正の対象となる画像にその画像形成に関する情報が付加されたカラープルーフを作成するためのカラープルーフ作成システム、制御装置、カラープルーフ作成方法、その方法を実行させるためのプログラム、及び、そのプログラムを記憶した記憶媒体に関する。
【背景技術】
【０００２】
近年においては、ＤＴＰ（Ｄｅｓｋ  Ｔｏｐ  Ｐｕｂｌｉｓｈｉｎｇ）等の普及により、印刷発注者が自身の端末において、スキャナから入力した画像をコンピュータのソフトウェア上で画像編集し、ページ面付けする作業が一般化し、フルディジタルでの編集も珍しくなくなってきている。
【０００３】
このような印刷製版工程では、さらなる効率化を目指して、そのページ面付け済みの画像データをフィルムに直接出力するイメージセッタ出力や、印刷版に直接画像記録を行うＣＴＰ（Ｃｏｍｐｕｔｅｒ  ｔｏ  Ｐｌａｔｅ）出力、さらには印刷機のシリンダー上に巻かれた印刷版に直接画像記録を行うＣＴＣ（Ｃｏｍｐｕｔｅｒ  ｔｏ  Ｃｙｌｉｎｄｅｒ）出力などが行われている。
【０００４】
この際、校正を行うためにフィルム出力や印刷版出力を行うことは、フィルムや印刷版にムダが生じ、また、余計な作業が多くなるという問題がある。
【０００５】
そこで、このようなコンピュータによるフルディジタルの画像作成／編集などを行う工程においては、ＤＤＣＰ（Ｄｉｒｅｃｔ  Ｄｉｇｉｔａｌ  Ｃｏｌｏｒ  Ｐｒｏｏｆ）と称される直接カラー画像出力を行うシステムが求められるようになった。
【０００６】
このＤＤＣＰシステムにより、例えばページ面付け済みの画像データをイメージセッタなどで製版用フィルム上に記録したり、プレートセッタ（ＣＴＰ出力システムにおいて、印刷版を出力する機械のこと）で直接印刷版を作成する印刷作業を行ったり、ＣＴＣで印刷機のシリンダー上に巻かれた印刷版に直接画像記録を行ったりするなどの前に、これを再現する色見本であるＤＣＰ（Ｄｉｇｉｔａｌ  Ｃｏｌｏｒ  Ｐｒｏｏｆ）を作成することができ、校正担当者は、このＤＣＰを用いて絵柄や色調等の校正を行うことができる。
【０００７】
ところで、校正担当者は、校正を行う際に、そのＤＣＰがどのような条件（例えば、画像データ名、出力日時、色版構成等）の下で出力されたものなのかを把握する必要がある。
【０００８】
そこで、従来においては、例えば特開２００２−３５８１７８号公報に記載されるように、ユーザ端末から送信する印刷ジョブに付加情報として、画像データ名、出力日時、色版構成等を添付しておき、印刷制御装置において、それらの付加情報を印刷画像に合成して出力することが行われている。これにより、校正担当者は、その印刷物に出力された付加情報を参照することで、当該印刷物がどのような条件の下で出力されたものであるかを把握することができる。
【０００９】
【特許文献１】特開２００２−３５８１７８号公報（段落〔００１４〕‐〔００８５〕、第１図乃至第８図）
【発明の開示】
【発明が解決しようとする課題】
【００１０】
しかしながら、この印刷物に出力される付加情報（以下、本発明においては、画像情報と称する）は、通常、画像出力領域の外側、即ち、余白に出力されることになっているため、出力される画像の大きさが記録用紙の大きさとそれ程変わらないような場合には、当該画像情報を出力するための領域が極めて狭くなり、その情報量が制限されたり、その情報を出力することが不可能になる問題がある。また、上述した画像情報を画像出力領域の内側、即ち、印刷画像の上に出力する場合もあるが、このような場合には、当該画像情報が印刷画像の上に重なり、その情報量によっては、校正の妨げになる問題がある。
【００１１】
また一方で、以下に記載する理由から、今後、この画像情報を付加する領域を確保することがさらに困難になるケースが増えてくると思われる。
１）出力条件の多様化に伴い、付加すべき画像情報の項目が増加する傾向にあること。
例えば「ジョブ名」、「出力年月日」、「網点形状」、「網点線数」、「出力解像度」、「ドットゲインカーブ」、「ＩＣＣプロファイル」、「色版名（特色名を含む）」、「出力機名称」等
２）カラーレーザープリンタ（電子写真方式）を、ＤＣＰを作成する手段として使用する環境が普及していることに伴い、小サイズの記録用紙（例えば「Ａ３」、「Ａ４」等）を使用した出力が増加する傾向にあること。
【００１２】
ここで、カラーレーザープリンタにおいては、近年、記録用紙の両面に高速に画像を出力することができるものが一般的となっていることから、当該装置を、ＤＣＰを作成する手段として使用する場合には、上述した画像情報を記録用紙の裏面に出力することができる利点がある。
【００１３】
従って、このような状況を鑑みるに、上述した画像情報は、必要に応じて、記録用紙の裏面までも対象とする何れかの位置に付加することができるようにしておくことが好ましいと考えられる。
【００１４】
本発明は、上記事情を鑑みてなされたものであり、その目的とするところは、校正の対象となる画像に対して、その校正に供される画像情報を当該画像が出力される記録用紙の裏面を含む何れかの位置に付加することで、画像の大きさや記録用紙の大きさに因らず、当該画像情報が付加されたカラープルーフを作成することができるカラープルーフ作成システム、制御装置、カラープルーフ作成方法、その方法を実行させるためのプログラム、及び、そのプログラムを記憶した記憶媒体を提供することにある。
【課題を解決するための手段】
【００１５】
上記課題を解決するために、請求項１記載の発明は、外部装置から、校正の対象となる画像データと、その校正に供される画像情報とを受けて、それらを保存する画像データ保存手段と、前記保存された画像情報を画像データ化することで、画像情報データを生成する画像情報データ生成手段と、前記保存された画像データに前記生成された画像情報データを合成する合成位置を指定するための合成位置指定手段と、前記保存された画像データの前記指定された合成位置に前記生成された画像情報データを合成することで、カラープルーフ用画像データを生成する画像データ合成手段と、を有する制御装置と、前記カラープルーフ用画像データに基づく画像を記録用紙に出力することで、カラープルーフを作成する画像出力装置と、を備えたことを特徴とする。
【００１６】
上記課題を解決するために、請求項３記載の発明は、外部装置から、校正の対象となる画像データを受けて、これを保存する画像データ保存手段と、前記保存された画像データを解析して、その解析結果に応じて、予め設定された処理条件にて所定の加工処理を施す画像データ解析加工手段と、予め設定された前記画像データのジョブ名称若しくは前記画像データを構成する各色版の名称、及び／又は、前記予め設定された処理条件を前記校正に供される画像情報として画像データ化することで、画像情報データを生成する画像情報データ生成手段と、前記保存された画像データに前記生成された画像情報データを合成する合成位置を指定するための合成位置指定手段と、前記保存された画像データの前記指定された合成位置に前記生成された画像情報データを合成することで、カラープルーフ用画像データを生成する画像データ合成手段と、を有する制御装置と、前記カラープルーフ用画像データに基づく画像を記録用紙に出力することで、カラープルーフを作成する画像出力装置と、を備えたことを特徴とする。
【００１７】
上記課題を解決するために、請求項６記載の発明は、カラープルーフ用画像データに基づく画像を記録用紙に出力することで、カラープルーフを作成する画像出力装置に対して、前記カラープルーフ用画像データを送信する制御装置であって、外部装置から、校正の対象となる画像データと、その校正に供される画像情報とを受けて、それらを保存する画像データ保存手段と、前記保存された画像情報を画像データ化することで、画像情報データを生成する画像情報データ生成手段と、前記保存された画像データに前記生成された画像情報データを合成する合成位置を指定するための合成位置指定手段と、前記保存された画像データの前記指定された合成位置に前記生成された画像情報データを合成することで、前記カラープルーフ用画像データを生成する画像データ合成手段と、を有することを特徴とする。
【００１８】
上記課題を解決するために、請求項８記載の発明は、カラープルーフ用画像データに基づく画像を記録用紙に出力することで、カラープルーフを作成する画像出力装置に対して、前記カラープルーフ用画像データを送信する制御装置であって、外部装置から、校正の対象となる画像データを受けて、これを保存する画像データ保存手段と、前記保存された画像データを解析して、その解析結果に応じて、予め設定された処理条件にて所定の加工処理を施す画像データ解析加工手段と、予め設定された前記画像データのジョブ名称若しくは前記画像データを構成する各色版の名称、及び／又は、前記予め設定された処理条件を前記校正に供される画像情報として画像データ化することで、画像情報データを生成する画像情報データ生成手段と、前記保存された画像データに前記生成された画像情報データを合成する合成位置を指定するための合成位置指定手段と、前記保存された画像データの前記指定された合成位置に前記生成された画像情報データを合成することで、前記カラープルーフ用画像データを生成する画像データ合成手段と、を有することを特徴とする。
【００１９】
上記課題を解決するために、請求項１１記載の発明は、カラープルーフ用画像データに基づく画像を記録用紙に出力することで、カラープルーフを作成する画像出力装置に対して、前記カラープルーフ用画像データを送信する制御装置におけるカラープルーフ作成方法であって、外部装置から、校正の対象となる画像データと、その校正に供される画像情報とを受けて、それらを保存する画像データ保存ステップと、前記保存された画像情報を画像データ化することで、画像情報データを生成する画像情報データ生成ステップと、前記保存された画像データに前記生成された画像情報データを合成する合成位置が指定されたことを受けて、前記保存された画像データの前記指定された合成位置に前記生成された画像情報データを合成することで、前記カラープルーフ用画像データを生成する画像データ合成ステップと、を含むことを特徴とする。
【００２０】
上記課題を解決するために、請求項１３記載の発明は、カラープルーフ用画像データに基づく画像を記録用紙に出力することで、カラープルーフを作成する画像出力装置に対して、前記カラープルーフ用画像データを送信する制御装置におけるカラープルーフ作成方法であって、外部装置から、校正の対象となる画像データを受けて、これを保存する画像データ保存ステップと、前記保存された画像データを解析して、その解析結果に応じて、予め設定された処理条件にて所定の加工処理を施す画像データ解析加工ステップと、予め設定された前記画像データのジョブ名称若しくは前記画像データを構成する各色版の名称、及び／又は、前記予め設定された処理条件を前記校正に供される画像情報として画像データ化することで、画像情報データを生成する画像情報データ生成ステップと、前記保存された画像データに前記生成された画像情報データを合成する合成位置が指定されたことを受けて、前記保存された画像データの前記指定された合成位置に前記生成された画像情報データを合成することで、前記カラープルーフ用画像データを生成する画像データ合成ステップと、を含むことを特徴とする。
【００２１】
上記課題を解決するために、請求項１６記載の発明は、請求項１１乃至請求項１５の何れか一項に記載のカラープルーフ作成方法を前記制御装置のコンピュータにおいて実行させることを特徴とする。
【００２２】
上記課題を解決するために、請求項１７記載の発明は、請求項１６に記載のプログラムを前記制御装置のコンピュータによって読み出し可能に記憶したことを特徴とする。
【発明の効果】
【００２３】
本発明に係るカラープルーフ作成システム、制御装置、カラープルーフ作成方法、その方法を実行させるためのプログラム、及び、そのプログラムを記憶した記憶媒体によれば、出力担当者は、校正の対象となる画像データに対して、その校正に供される画像情報を画像データ化した画像情報データを合成する位置として、当該画像データが出力される記録用紙の裏面を含む何れかの位置を指定することができるので、出力画像や記録用紙の大きさに因らず、当該画像情報が付加されたカラープルーフを作成することができる。
【００２４】
また、画像情報データを合成する位置として、記録用紙の裏面を指定した場合には、出力される画像に影響を与えることなく、且つ、その情報量が制限されることなく画像情報を付加することができる。
【発明を実施するための最良の形態】
【００２５】
以下、本発明に係るカラープルーフ作成システム、制御装置、カラープルーフ作成方法、その方法を実行させるためのプログラム、及び、そのプログラムを記憶した記憶媒体の好適な一実施形態について、図面を参照しながら具体的に説明する。
【００２６】
［カラープルーフ作成システム］
まず、本実施形態におけるカラープルーフ作成システムのシステム構成と概略動作について、図１を参照しつつ、図２に示すフローチャートの流れに沿って説明する。
【００２７】
＜システム構成＞
図１に示すように、当該カラープルーフ作成システムは、クライアントが画像データの画像編集、例えば面付け作業を行うための少なくとも１台のクライアント端末１と、このクライアント端末１からネットワークを介して送信されたカンプ用画像データ（ページ面付けする前の単ページの画像データ）や、後述するＣＴＰ用ＲＩＰ（ＣＴＰ用ラスターイメージプロセッサ）４から送信されたＲＩＰ処理の施された印刷用画像データ（複数面付けした画像データ）を解析して、それらの画像データにＲＩＰ処理が施されていない場合に、これにＲＩＰ処理を施し、さらに、それらの画像データに網点化処理が施されていない場合に、これに網点化処理を施し、当該網点化された画像データに対して、その校正を行う際に供される画像情報を画像データ化した画像情報データを合成して、当該画像情報データが合成された網点画像データをＤＣＰ用画像データとして出力指示信号と共にカラーレーザープリンタ３に送信する制御装置２と、を含んで構成されている。
【００２８】
当該カラープルーフ作成システムは、さらに、この制御装置２から送信されたＤＣＰ用画像データに基づく画像、具体的には、上述したカンプ用画像データや印刷用画像データに基づく網点画像とそれらの画像情報データに基づく画像を、出力指示信号に従って記録用紙の該当する面の該当する位置に出力するカラーレーザープリンタ３と、クライアント端末１から送信された印刷用画像データにＲＩＰ処理を施した後、これを制御装置２やＣＴＰ６、高精度なＤＣＰが必要な場合には、ＤＣＰ制御装置５に送信するＣＴＰ用ＲＩＰ４と、を含んで構成されている。
【００２９】
当該カラープルーフ作成システムは、さらに、このＣＴＰ用ＲＩＰ４から送信された印刷用画像データに基づく画像を出力するＣＴＰ６と、このＣＴＰ用ＲＩＰ４からＤＣＰ制御装置５を介して送信された印刷用画像データに基づく画像をＤＣＰとして出力するＤＣＰ作成装置７と、から構成されている。尚、ＤＣＰ作成装置２は、ＤＣＰ制御装置５において網点化された印刷用画像データに基づいて、複数の光源より波長の異なる光を発することで感光材料を露光して、当該感光材料上に各色の網点を形成することで網点画像を出力する。これによりＤＣＰが作成される。
【００３０】
尚、上述した“ＲＩＰ処理”とは、例えばＰｏｓｔＳｃｒｉｐｔ等で記述された画像データを画像出力装置（カラーレーザープリンタ３やＣＴＰ６、ＤＣＰ作成装置７等）の出力解像度にあわせたビットマップデータに展開する処理のことを指す。
【００３１】
また、上述した“画像情報”には、その画像データのジョブ名称、その画像データを構成する各色版の名称、その画像データの出力時刻（但し、年月日等を含む）や出力解像度、その画像データをラスター化した際の解像度や処理時刻（但し、年月日等を含む）、トラッピング設定条件、その画像データを網点化した際の網点形状や線数、処理時刻（但し、年月日等を含む）、その画像データを網点化する際に用いたドットゲインカーブの名称又はＩＣＣプロファイルの名称、その画像データの出力先となる画像出力装置（カラーレーザープリンタ３やＣＴＰ６、ＤＣＰ作成装置７等）の名称等が含まれる。
【００３２】
また、上述した“出力指示信号”には、ＤＣＰ用画像データの出力を指示する指示信号と、当該ＤＣＰ用画像データに基づく画像、具体的には、上述したカンプ用画像データや印刷用画像データに基づく網点画像とそれらの画像情報データに基づく画像を出力する記録用紙の面とその位置を指定する指定信号と、が含まれる。
【００３３】
尚、クライアント端末１、制御装置２、ＣＴＰ用ＲＩＰ４及びＤＣＰ制御装置５は、各々、コンピュータ端末として動作するものであって、コンピュータ本体、マウスやキーボード等の操作部、モニタ等の表示部を備え、所定の動作プログラムが組み込まれている。
【００３４】
さらに、クライアント端末１は、画像編集を行うための編集プログラム、イメージスキャナ等の必要な画像入力機器を備えている。また、カラーレーザープリンタ３は、電子写真方式の複写手段や、イメージスキャナ等のスキャン手段を備えたマルチファンクションプリンタであって、上述したように、制御装置２から送信された出力指示信号に従って、記録用紙の該当する面の該当する位置に、上述したカンプ用画像データや印刷用画像データに基づく網点画像とそれらの画像情報データに基づく画像を出力する。
【００３５】
＜概略動作＞
図２に示すように、このような構成において、クライアント端末１において画像編集されたカンプ用画像データは、制御装置２へ送信され、これを受けた制御装置２は、当該カンプ用画像データを解析して、その種別を判断する。ここで、クライアント端末１から送信されるカンプ用画像データの種別には、ベクトルデータやラスターデータがあり、制御装置２は、上述の判断結果を受けて、当該カンプ用画像データが未だラスター化されていないベクトルデータであった場合に、これにＲＩＰ加工を施すことでラスター画像データを生成し、さらに、当該ラスター画像データをＤＣＰ作成装置２の出力解像度にあわせた網点画像データに変換する。また、当該カンプ用画像データが既にラスター化されているが未だ網点化されていないラスター画像データであった場合に、当該ラスター画像データをＤＣＰ作成装置２の出力解像度にあわせた網点画像データに変換する。この際、制御装置２は、ラスター画像データを所定の出力条件、具体的には、予め設定された網点の形状や線数に従って網点化する。
【００３６】
制御装置２は、さらに、その網点化された画像データに、その校正を行う際に供される画像情報を画像データ化した画像情報データを合成した上で、当該画像情報データが合成された網点画像データをＤＣＰ用画像データとして出力指示信号と共にＤＣＰ作成装置２に送信する。
【００３７】
尚、制御装置２は、クライアント端末１から送信されたカンプ用画像データが、既にラスター化され網点化された画像データ、即ち、網点画像データであった場合には、上述した処理の何れも行うことはない。
【００３８】
これを受けたカラーレーザープリンタ３は、その送信された出力指示信号に従って、記録用紙の該当する面の該当する位置に、同じく送信されたＤＣＰ用画像データに基づく画像を出力する。これにより、記録用紙の所定位置には、上述したカンプ用画像データに基づく網点画像とそれらの画像情報データに基づく画像とが出力されて、その画像情報が付加されたカラーカンプが作成される（Ｓ０１）。
【００３９】
尚、上述した“カラーカンプ”とは、色付きの仕上がり見本のことであって、ページ面付けされる写真やイラストのダミーとして印刷物に近い仕上がりイメージを見せることにより、デザインが企画・編集意図に沿ったものであるかどうかの検討や、クライアントの承諾を得るためなどに作成される。
【００４０】
即ち、カラーカンプを作成する際には、例えば「Ａ３」、「Ａ４」等の小サイズの記録用紙を用いた単ページの出力を行い、印刷発注主やデザイナー等の校正担当者は、そのカラーカンプに付加された画像情報を参照しつつ、当該カラーカンプの文字校正や色校正等の作業結果確認を行う（Ｓ０２）。
【００４１】
ここで、校正担当者によって問題がないことが確認された場合には（Ｓ０２、ＹＥＳ）、クライアントによってクライアント端末１において面付け作業が行われる（Ｓ０３）。
【００４２】
尚、上述した“面付け作業”とは、製版フィルムを印刷して折り丁にしたときにノンブル（そのページが何ページ目かがわかるように、ページの端に入れておく番号のこと）が順に並ぶように、写真やイラスト等の画像を１６ページ単位、或いは、８ページ単位や４ページ単位で、印刷機にかける用紙のサイズに合わせて貼り合わせる作業のことを指す。
【００４３】
そして、クライアント端末１からＣＴＰ用ＲＩＰ４へ面付け作業が行われた印刷用画像データが送信されると、これを受けたＣＴＰ用ＲＩＰ４は、その印刷用画像データに対してＲＩＰ処理を施すことでラスター画像データを作成する（Ｓ０４）。
【００４４】
ここで、ＤＣＰをカラーレーザープリンタ３にて作成しようとする場合には、このラスター画像データを、ＣＴＰ用ＲＩＰ４から制御装置２へ送信して、これを受けた制御装置２は、当該ラスター画像データに網点化処理を施すことで網点画像データを生成して、さらに、当該網点画像データにその校正を行う際に供される画像情報を画像データ化した画像情報データを合成することでＤＣＰ用画像データを生成して、これを出力指示信号と共にカラーレーザープリンタ３へ送信する。
【００４５】
これを受けたカラーレーザープリンタ３は、その送信された出力指示信号に従って、記録用紙の該当する面の該当する位置に、同じく送信されたＤＣＰ用画像データに基づく画像、具体的には、上述した印刷用画像データに基づく網点画像と、その画像情報データに基づく画像を出力する。これにより、画像情報が付加されたＤＣＰが作成される（Ｓ０５）。
【００４６】
尚、このＤＣＰ用画像データに基づく画像が出力される記録用紙は、印刷機にて使用される印刷用紙と同様、若しくは、似通った種類のものを使用することが好ましい。
【００４７】
“Ｓ０４”からの説明に戻って、ここで、高精度のＤＣＰを必要とする場合には、ＣＴＰ用ＲＩＰ４からＲＩＰ処理が施された印刷用画像データをＤＣＰ制御装置５へ送信して、これを受けたＤＣＰ制御装置５がＤＣＰ作成装置７の出力制御を行い、ＤＣＰ作成装置７がＤＣＰを出力する。
【００４８】
尚、このような場合には、ＤＣＰ制御装置５において、ＣＴＰ用ＲＩＰ４から受けたラスター画像データに網点化処理を施すことで網点画像データを生成して、さらに、当該網点画像データに、その校正を行う際に供される画像情報を画像データ化した画像情報データを合成することにしても良い。即ち、ＤＣＰ制御装置５に、制御装置２の画像データ保存部２０〜出力制御部２５までの各部に対応する処理部を備えることにしても良い。
【００４９】
そして、校正担当者によってＤＣＰの色校正が行われる（Ｓ０６）。ここで、問題があった場合には、その校正内容を反映させるために、再度、クライアントによりクライアント端末１において印刷用画像データの編集作業が行われ、上述した工程を経てＤＣＰが作成されて、再度、校正担当者によりそのＤＣＰの色校正が行われる。
【００５０】
そして、問題がないことが確認された場合には（Ｓ０６、ＹＥＳ）、出力担当者は、ＣＴＰ用ＲＩＰ４からＲＩＰ処理を施した印刷用画像データをＣＴＰ６に送信して、これを受けたＣＴＰ６は、印刷版に、直接、その印刷用画像データに基づく画像を記録する（Ｓ０７）。
【００５１】
そして、クライアントは、その印刷版を用いて印刷を行い、さらに、その印刷物の色校正を行う（Ｓ０８）。ここで、問題がないことが確認された場合には（Ｓ０８、ＹＥＳ）、印刷機によって複数部数の印刷物を印刷する工程へ移行する（Ｓ０９）。
【００５２】
［制御装置］
次に、当該カラープルーフ作成システムを構成する制御装置２の詳細構成と詳細動作について、図３、図５乃至図９を参照しながら、図４及び図１０に示すフローチャートの流れに沿って説明する。尚、以下においては、制御装置２においてＣＴＰ用ＲＩＰ４から送信されたＲＩＰ処理が施された印刷用画像データ（以下、単に印刷用画像データと称する）に対して、その画像情報を含む画像情報データを合成することでＤＣＰ用画像データを生成して、カラーレーザープリンタ３において、当該ＤＣＰ用画像データに基づく画像を記録用紙に出力することでＤＣＰを作成する場合を例に採り説明する。
【００５３】
＜詳細構成＞
図３に示すように、制御装置２は、ＣＴＰ用ＲＩＰ４から受信した印刷用画像データを保存する画像データ保存部２０と、この画像データ保存部２０に保存された印刷用画像データを解析して、当該印刷用画像データが未だ網点化されていないラスター画像データであった場合に、当該ラスター画像データをカラーレーザープリンタ３の出力解像度にあわせた網点画像データに変換する画像データ解析加工部２１と、を備えている。
【００５４】
制御装置２は、さらに、画像データ保存部２０に保存された印刷用画像データに添付された当該印刷用画像データのジョブ名称、出力時刻、出力解像度、各色版の名称、当該印刷用画像データがＣＴＰ用ＲＩＰ４においてラスター化された際の解像度、処理時刻、トラッピング設定条件、当該印刷用画像データの出力先となる画像出力装置、即ち、カラーレーザープリンタ３の名称等の画像情報を取得すると共に、画像データ解析加工部２１から、不図示のＲＩＰ処理部に予め設定された当該印刷用画像データをラスター化する際の解像度や処理時刻、トラッピング設定条件等の処理条件や、同じく不図示の網点化処理部に予め設定された当該印刷用画像データを網点化する際の網点形状や線数、当該印刷用画像データを網点化する際に用いるドットゲインカーブ又はＩＣＣプロファイル等の処理条件を画像情報として取得し、それら取得した画像情報にＲＩＰ加工を施すことでラスター化された画像情報データを生成する画像情報データ生成部２２を備えている。
【００５５】
尚、上述した印刷用画像データに添付された画像情報の内、ジョブ名称、出力時刻、出力解像度、各色版の名称、出力先となるカラーレーザープリンタ３の名称等は、クライアントによって、クライアント端末１において設定されて、当該印刷用画像データに添付される他、出力担当者によって、制御装置２において設定されるものである。また、上述した印刷用画像データに添付された画像情報の内、ＣＴＰ用ＲＩＰ４においてラスター化された際の解像度、処理時刻、トラッピング設定条件等は、出力担当者によって、ＣＴＰ用ＲＩＰ４において設定されて、当該印刷用画像データに添付されるものである。また、上述したＲＩＰ処理部や網点化処理部に予め設定された処理条件は、出力担当者によって、クライアント端末１から送信された当該印刷用画像データを網点化する際の処理条件として予め設定されるものである。また、上述したＲＩＰ処理部や網点化処理部による処理時刻は、当該処理が行われた時点にこれらの処理部によって設定されるものである。
【００５６】
尚、これらの画像情報は、通常、文字や数値の入力によって生成されるベクトルデータとなっているため、画像情報データ生成部２２は、当該画像情報を画像データ解析加工部２１から出力される網点画像データに合成することができる画像データに変換するべく、当該ベクトルデータにＲＩＰ処理を施すことでラスター化された画像情報データ（以下、単に画像情報データと称する）を生成する。
【００５７】
制御装置２は、さらに、出力担当者が、画像データ解析加工部２１から出力される網点画像データに対して、画像情報データ生成部２２によって生成された画像情報データを合成する位置を指定するための合成位置指定部２３と、この合成位置指定部２３における指定を受けて、画像データ解析加工部２１から出力された網点画像データの所定位置に画像情報データ生成部２２によって生成された画像情報データを合成することでＤＣＰ用画像データを生成する画像データ合成部２４と、この画像データ合成部２４によって生成されたＤＣＰ用画像データを出力指示信号と共にカラーレーザープリンタ３へ送信する出力制御部２５と、を備えている。
【００５８】
＜詳細動作＞
図４に示すように、このような構成において、制御装置２にＣＴＰ用ＲＩＰ４から印刷用画像データが送信された場合には、画像データ保存部２０は、その送信された印刷用画像データを保存する（画像データ保存ステップ；Ｓ１０）。
【００５９】
画像データ解析加工部２１は、その保存された印刷用画像データを解析することで、その種別を判断して、当該印刷用画像データにＲＩＰ処理が施されていない場合に、これにＲＩＰ処理を施す（画像データ解析加工ステップ；Ｓ１１）。但し、上述したように、ＣＴＰ用ＲＩＰ４から送信される印刷用画像データは、全てＲＩＰ処理が施されたラスター画像データとなっているため、画像データ解析加工部２１がＲＩＰ処理を施す場合はない。
【００６０】
画像データ解析加工部２１は、さらに、その印刷用画像データに網点化処理が施されていない場合に、これに網点化処理を施すことで網点画像データを生成する（画像データ解析加工ステップ；Ｓ１２）。但し、上述したように、ＣＴＰ用ＲＩＰ４から送信された印刷用画像データが、既に網点化された網点画像データであった場合には、このような処理が行われることはない。
【００６１】
画像情報データ生成部２２は、画像データ保存部２０に保存された印刷用画像データに添付された当該印刷用画像データのジョブ名称、出力時刻、出力解像度、各色版の名称、当該印刷用画像データがＣＴＰ用ＲＩＰ４においてラスター化された際の解像度、処理時刻、トラッピング設定条件、当該印刷用画像データの出力先となる画像出力装置、即ち、カラーレーザープリンタ３の名称等の画像情報を取得すると共に、画像データ解析加工部２１から、ＲＩＰ処理部に予め設定された、当該印刷用画像データをラスター化する際の解像度や処理時刻、トラッピング設定条件等の処理条件や、網点化処理部に予め設定された、当該印刷用画像データを網点化する際の網点形状や線数、当該印刷用画像データを網点化する際に用いるドットゲインカーブ又はＩＣＣプロファイル等の処理条件を画像情報として取得する（Ｓ１３）
【００６２】
画像情報生成部２３は、それら取得した画像情報に対してＲＩＰ処理を施すことで画像情報データを生成する（画像情報データ生成ステップ；Ｓ１４）
【００６３】
合成位置指定部２３は、表示部に、例えば図５に示すような画像情報印字位置指定画面１０Ａを表示する。さらに、この画像情報印字位置指定画面１０Ａ上に、出力担当者が「外付け」、「内付け」、「裏面」、「位置指定」、「自動」、「なし」等の指定項目の何れかを指定するためのカーソル１０Ａａを表示する（表示ステップ）。
【００６４】
尚、この画像情報印字位置指定画面１０Ａの画像データは、合成位置指定部２３の不図示の記憶部に記憶されており、表示部は、その記憶部からこの画像情報印字位置指定画面１０Ａの画像データを読み出して表示する。
【００６５】
ここで、図５に示す画像情報印字位置指定画面１０Ａの各指定項目の内容について、具体的に説明する。
【００６６】
図６に示すように、「外付け」は、網点画像データの画像出力領域の外縁にその画像情報を付加することを指定する項目である。因みに、同図においては、画像情報として、ジョブ名称である“ＴＲＥＥ１．ＪＯＢ”と、各色版の名称である“ＣＭＹＫ”とが付加されている。
【００６７】
また、図７に示すように、「内付け」は、網点画像データの画像出力領域の内縁にその画像情報を付加することを指定する項目である。当該「内付け」は、出力される画像の大きさと記録用紙の大きさとがほぼ一致している場合に、その画像情報を付加することを優先させたいような場合に有効である。因みに、同図においては、画像情報として、ジョブ名称である“ＴＲＥＥ１．ＪＯＢ”と、各色版の名称である“ＣＭＹＫ”とが付加されている。
【００６８】
また、図８に示すように、「裏面」は、網点画像データに基づく画像が出力される記録用紙の出力面の裏側の面にその画像情報を付加することを指定する項目である。当該「裏面」を指定する場合には、出力される画像に何ら影響を与えることなく、且つ、情報量が制限されることなく、その画像情報を付加することができ、特に情報量の多い画像情報を付加する場合に有効である。因みに、同図においては、画像情報として、ジョブ名称である“ＴＲＥＥ１．ＪＯＢ”と、各色版の名称である“ＣＭＹＫ”と、出力時間である“１２：３４：５６”と、網点形状である“ｓｑｕａｒｅ”と、線数である“１７５線”と、出力解像度である“２４００ｄｐｉ”と、ＩＣＣプロファイルの名称である“ｄｉｇｉｋｏｎｐｒｏ．ｉｃｃ”とが付加されている。
【００６９】
また、図９に示すように、「位置指定」は、網点画像データの画像出力領域内の指定された位置にその画像情報を付加することを指定する項目である。出力担当者は、さらに、不図示の位置指定画面において、例えば右「２０」ｍｍ、下「２５０」ｍｍというように、所定の数値を入力する。当該「位置指定」は、画像出力領域の特定部分に必ず余白があるような場合（例えば、ＣＴＰ６の咥え領域として、画像下部に必ず余白が設けられるような場合）に有効である。因みに、同図においては、画像情報として、ジョブ名称である“ＴＲＥＥ１．ＪＯＢ”と、各色版の名称である“ＣＭＹＫ”とが付加されている。
【００７０】
また、「自動」は、画像出力装置、即ち、カラーレーザープリンタ３が両面出力が可能か否かや、出力される画像の大きさに応じて、合成位置指定部２３が上述した「外付け」、「内付け」、「裏面」の何れかを自動的に選択して、その選択した位置に画像情報を付加することを指定する項目である。ここで、図１０に、合成位置指定部２３がこの選択を行う際の処理の流れの一例を示す。図１０に示すように、合成位置指定部２３は、まず、記録用紙の画像出力領域外に画像情報を付加する余白があるか否かを判断する（Ｓ２０）。ここで、余白があった場合には（Ｓ２０、ＹＥＳ）、「外付け」を選択する（Ｓ２１）。ここで、余白が無かった場合には（Ｓ２０、ＮＯ）、カラーレーザープリンタ３が両面出力を行うことが可能か否かを判断する（Ｓ２２）。ここで、両面出力を行うことが可能であった場合には（Ｓ２２、ＹＥＳ）、「裏面」を選択する（Ｓ２３）。ここで、両面出力を行うことが不可能であった場合には（Ｓ２２、ＮＯ）、「内付け」を選択する（Ｓ２４）。
【００７１】
図４に示す“Ｓ１４”からの説明に戻って、ここで、出力担当者は、合成位置指定部２３によって表示部に表示された画像情報印字位置指定画面１０Ａ上において、操作部の操作によってカーソル１０Ａａを操作することで、「外付け」、「内付け」、「裏面」、「位置指定」、「自動」、「なし」等の指定項目の何れかを指定する（Ｓ１５、ＹＥＳ）。
【００７２】
画像データ合成部２４は、その指定を受けて、画像データ解析加工部２１から出力された網点画像データのその指定された位置に、画像情報生成部２３によって生成された画像情報データを合成することでＤＣＰ用画像データを生成する（画像データ合成ステップ；Ｓ１６）。但し、画像データ合成部２４は、「裏面」が指定された場合には、その画像情報データを記録用紙の裏面に出力する画像データとすることでＤＣＰ用画像データを生成する。
【００７３】
尚、本発明においては、このように「裏面」が指定された場合に、その画像情報データを記録用紙の裏面に出力する画像データとすることでＤＣＰ用画像データを生成する場合も、“画像データの指定された合成位置に画像情報データを合成することでＤＣＰ用画像データを生成する”ことに含まれるものとする。
【００７４】
尚、画像データ合成部２４は、網点画像データを構成する色版毎に画像情報データを合成することでＤＣＰ用画像データを生成する。また、このＤＣＰ用画像データを生成するタイミングは、当該ＤＣＰ用画像データをカラーレーザープリンタ３へ転送する際である。
【００７５】
出力制御部２５は、画像データ合成部２４によって生成されたそのＤＣＰ用画像データを出力指示信号と共にカラーレーザープリンタ３へ送信する（Ｓ１７）。
【００７６】
カラーレーザープリンタ３は、その送信された出力指示信号に従って、記録用紙の該当する面の該当する位置に、同じく送信されたＤＣＰ用画像データに基づく画像を出力する。具体的には、ＤＣＰ用画像データを構成する網点画像データに基づく網点画像と、同じくＤＣＰ用画像データを構成する画像情報データに基づく画像とを記録用紙の該当する面の該当する位置に出力する。これにより、印刷用画像が出力され、その画像情報が付加されたＤＣＰが作成される。
【００７７】
そして、校正担当者は、そのＤＣＰに付加された画像情報を参照しつつその色校正を行う。
【００７８】
［プログラム及びこれを記憶する記憶媒体］
尚、以上に説明した当該カラープルーフ作成システムを構成する制御装置２において行われる処理、具体的には、図４を参照しながら説明した“画像データ保存ステップ”〜“画像データ合成ステップ”までの処理を当該装置２のコンピュータ本体において実行させるためのプログラムは、当該装置２に内蔵、若しくは、接続されるメモリ等の記憶部に記憶されており、同じく当該装置２に内蔵されるＣＰＵ等の演算部により、これが読み出されて実行される。
【００７９】
因みに、上述した記憶媒体の具体例としては、例えばＲＯＭ、ＲＡＭ、フラッシュメモリ等の半導体メモリ、並びに、集積回路等のメモリ装置、光ディスク、光磁気ディスク（ＣＤ−ＲＯＭ／ＤＶＤ−ＲＡＭ／ＤＶＤ−ＲＯＭ／ＭＯ等）、磁気記憶媒体＜磁気ディスク＞（ハードディスク／フロッピー（登録商標）ディスク／ＺＩＰ等）等を挙げることができる。
【００８０】
以上に説明したように、本実施形態におけるカラープルーフ作成システム、制御装置、画像出力方法、その方法を実行させるためのプログラム、及び、そのプログラムを記憶した記憶媒体によれば、出力担当者は、校正の対象となる網点画像データに対してその画像情報データを合成する位置として、当該網点画像データが出力される記録用紙の裏面を含む何れかの位置を指定することができるので、出力される画像や記録用紙の大きさに因らず、当該画像情報が付加されたカラープルーフを作成することができる。
【００８１】
また、画像情報データを合成する位置として、記録用紙の裏面を指定した場合には、出力される画像に影響を与えることなく、且つ、その情報量が制限されることなく画像情報を付加することができる。
【００８２】
尚、以上に説明した本実施形態におけるカラープルーフ作成システムは、本発明の好適な一実施形態を例示したものであり、その他の実施形態を除外するものではない。
【００８３】
例えば、本実施形態においては、制御装置２にＣＴＰ用ＲＩＰ４からＲＩＰ処理が施された印刷用画像データを送信して、当該装置２の画像データ解析加工部２１がその印刷用画像データに網点化処理を施すことで網点画像データを生成して、画像データ合成部２４がその網点画像データに対してその画像情報をラスター化した画像情報データを合成することで、ＤＣＰ用画像データを生成する場合を例に採り説明したが、この他にも、例えば画像データ合成部２４は、ＲＩＰ処理が施された印刷用画像データに対して画像情報データを合成することで、ＤＣＰ用画像データを生成することにしても良い。また、制御装置２にクライアント端末１からＲＩＰ処理が施されていないカンプ用画像データを送信して、当該装置２の画像データ解析加工部２１がこれにＲＩＰ処理を施して、画像データ合成部２４がそのＲＩＰ処理が施されたカンプ用画像データに対してその画像情報データを合成することで、その画像情報が付加されたカンプ用画像データを生成することとしても良い。即ち、本発明においては、カンプ用画像データに基づく画像が出力された記録用紙、即ち、カラーカンプもカラープルーフに含むものとする。
【００８４】
また、本実施形態においては、制御装置２にＣＴＰ用ＲＩＰ４からＲＩＰ処理が施された印刷用画像データを送信して、当該装置２の画像データ解析加工部２１がその印刷用画像データに網点化処理を施すことで網点画像データを生成して、画像データ合成部２４がその網点画像データに対してその画像情報をラスター化した画像情報データを合成することで、ＤＣＰ用画像データを生成して、カラーレーザープリンタ３が、そのＤＣＰ用画像データに基づく画像を記録用紙に出力することでＤＣＰを作成する場合を例に採り説明したが、この他にも、上述したように、例えばＤＣＰ制御装置５を制御装置２と同様の構成、即ち、図３に示した機能ブロック図と同様の構成とした上で、ＣＴＰ用ＲＩＰ４からＤＣＰ制御装置５へＲＩＰ処理が施された印刷用画像データを送信して、当該装置５の画像データ解析加工部がその印刷用画像データに網点化処理を施すことで網点画像データを生成して、画像データ合成部がその網点画像データに対してその画像情報をラスター化した画像情報データを合成することで、ＤＣＰ用画像データを生成して、ＤＣＰ作成装置７が、そのＤＣＰ用画像データに基づく画像を記録用紙に出力することでＤＣＰを作成することにしても良い。
【図面の簡単な説明】
【００８５】
【図１】本発明に係るカラープルーフ作成システムの一実施形態における全体構成を表す構成図である。
【図２】図１に示すカラープルーフ作成システムにおいて行われる印刷製版業務の一連の流れについて説明するためのフローチャートである。
【図３】図１に示す制御装置の詳細構成を表す機能ブロック図である。
【図４】図３に示す制御装置の各部において行われる画像出力処理の一連の流れについて説明するためのフローチャートである。
【図５】図３に示す制御装置の表示部において表示される画像情報印字位置指定画面の全体構成を表す構成図である。
【図６】図５に示す画像情報印字位置指定画面において「外付け」を指定した場合の画像出力領域と画像情報との位置関係を表す構成図である。
【図７】図５に示す画像情報印字位置指定画面において「内付け」を指定した場合の画像出力領域と画像情報との位置関係を表す構成図である。
【図８】図５に示す画像情報印字位置指定画面において「裏面」を指定した場合の画像出力領域と画像情報との位置関係を表す構成図である。
【図９】図５に示す画像情報印字位置指定画面において「位置指定」を指定した場合の画像出力領域と画像情報との位置関係を表す構成図である。
【図１０】図５に示す画像情報印字位置指定画面において「自動」が指定された場合に制御装置の合成位置指定部において行われる合成位置選択処理の流れについて説明するためのフローチャートである。
【符号の説明】
【００８６】
１  クライアント端末
２  制御装置
２０  画像データ保存部
２１  画像データ解析加工部
２２  画像情報データ生成部
２３  合成位置指定部
２４  画像データ合成部
２５  出力制御部
３  カラーレーザープリンタ
４  ＣＴＰ用ＲＩＰ
５  ＤＣＰ制御装置
６  ＣＴＰ
７  ＤＣＰ作成装置
１０Ａ  画像情報印字位置指定画面
１０Ａａ  カーソル
【図１】
2005244515.tif 000003
【図２】
2005244515.tif 000004
【図３】
2005244515.tif 000005
【図４】
2005244515.tif 000006
【図５】
2005244515.tif 000007
【図６】
2005244515.tif 000008
【図７】
2005244515.tif 000009
【図８】
2005244515.tif 000010
【図９】
2005244515.tif 000011
【図１０】
2005244515.tif 000012